(57)【特許請求の範囲】
【請求項１】
液透過性の肌当接面、液不透過性の非肌当接面及び液保持性の吸収部を有する本体と、該本体の中央部の左右両側縁部から幅方向に連設された一対のウイングとを有する吸収性物品において、
一対の上記ウイングと上記本体との連接部に復元部材を備えており、
上記一対のウイングは、上記復元部材を介して上記本体に連接されており、
上記吸収性物品は、個別包装時には、上記復元部材において折曲されて、上記ウイングが上記本体の肌当接面又は非肌当接面に重ねられており、この状態のまま長手方向に三つ折りにされて袋状の包装材に収納され、
上記復元部材は、一対の上記ウイングを非応力下において略同一平面上に展開させる機能を有していることを特徴とする吸収性物品。
【請求項２】
上記復元部材は、シート形状であることを特徴とする請求項１に記載の吸収性物品。
【発明の詳細な説明】
【０００１】
【発明の属する技術分野】
本発明は、生理用ナプキン、失禁パッド等の吸収性物品に関し、更に詳しくは、装着性の良好な吸収性物品に関する。
【０００２】
【従来の技術及び発明が解決しようとする課題】
従来より、生理用ナプキン、失禁パッド等の吸収性物品として、図３又は図４に示す様なものがある。
【０００３】
図３は、従来技術の吸収性物品１００のウイング１１１を本体１１０の肌当接面１１０ａに折り重ねた状態を肌当接面１１０ａ側から見たもので、この吸収性物品１００においては、本体１１０の非肌当接面に粘着部が形成され、またウイング１１１における該本体１１０の非肌当接面側にも粘着部１１１ａが形成されている。
このような吸収性物品１００は、使用前においては、ウイング１１１の粘着部１１１ａは剥離紙により保護され、且つウイング１１１が図３に示す如く本体１１０の肌当接面１１０ａに折り重ねられ、この状態でシート状の包装材に包装され、該包装材とともに長手方向に三つ折りされて包装されている。本体１１０の粘着部１１０ｃは、包装材に貼付された剥離紙に粘着されている。
そして使用に際しては、包装材から取り出して本体１１０の粘着部を露出させ、ウイング１１１を広げ、ウイング１１１の粘着部１１１ａを剥離紙から剥離し、ウイング１１１を折曲して本体１１０とウイング１１１との間に下着を挟み、本体１１０及びウイング１１１を粘着部を介して下着に粘着させるようになされている。
【０００４】
図４は、従来技術の吸収性物品２００を本体２１０の非肌当接面２１０ｂ側から見たもので、この吸収性物品２００においては、本体２１０の非肌当接面２１０ｂに粘着部２１０ｃが形成され、またウイング２１１における該本体２１０の非肌当接面２１０ｂ側にも粘着部２１１ａが形成されている。また、本体２１０の非肌当接面２１０ｂの中央部には剥離処理を施した剥離部２１０ｄが形成されている。
このような吸収性物品２００は、使用前においては、ウイング２１１が本体２１０の非肌当接面２１０ｂに折り重ねられてウイング２１１の粘着部２１１ａが剥離部２１０ｄに粘着されている。そしてこの状態で、本体２１０の粘着部２１０ｃが露出されるように長手方向に三つ折りされて袋状の包装材に収納されている。上記本体２１０の粘着部２１０ｃは、包装材に貼付された剥離紙により保護されている。
そして使用に際して、吸収性物品２００を包装材から取り出して粘着部２１０ｃを露出させ、三つ折りを展開し更にウイング２１１を広げて粘着部２１１ａを露出させ、ウイング２１１を折曲して本体２１０とウイング２１１との間に下着を挟み、本体２１０及びウイング２１１をそれぞれの粘着部２１０ｃ，２１１ａを介して下着に粘着させるようになされている。
【０００５】
しかし、上述の様な従来の吸収性物品１００，２００においては、折曲されたウイング１１１，２１１を折り曲げ状態から開放する手間が必要である。また、包装されている間にウイング１１１，２１１と本体１１０，２１０との境界部につく折り癖等のために、ウイング１１１，２１１の粘着部１１１ａ，２１１ａが本体１１０，２１０の非肌当接面、またウイング１１１，２１１の粘着部１１１ａ，２１１ａ同士で粘着してしまう等、装着性に劣るという問題点がある。
【０００６】
従って、本発明の目的は、装着性の良好な吸収性物品を提供することにある。
【０００７】
【課題を解決するための手段】
本発明は、液透過性の肌当接面、液不透過性の非肌当接面及び液保持性の吸収部を有する本体と、該本体の中央部の左右両側縁部から幅方向に連設された一対のウイングとを有する吸収性物品において、一対の上記ウイングと上記本体との連接部に復元部材を備えており、上記一対のウイングは、上記復元部材を介して上記本体に連接されており、上記吸収性物品は、個別包装時には、上記復元部材において折曲されて、上記ウイングが上記本体の肌当接面又は非肌当接面に重ねられており、この状態のまま長手方向に三つ折りにされて袋状の包装材に収納され、上記復元部材は、一対の上記ウイングを非応力下において略同一平面上に展開させる機能を有していることを特徴とする吸収性物品を提供することにより、上記目的を達成したものである。
【０００８】
【発明の実施の形態】
以下、本発明の吸収性物品の一実施形態を図面を参照しながら具体的に説明する。
図１は、本発明の吸収性物品の一実施形態の展開した状態を本体の非肌当接面側から見た斜視図であり、図２は図１の吸収性物品のウイングを折り畳んだ状態を本体の肌当接面側から見た斜視図である。
【０００９】
本実施形態の吸収性物品としての生理用ナプキン１は、図１又は図２に示す様に、液透過性の肌当接面１０ａ、液不透過性の非肌当接面１０ｂ及び液保持性の吸収部を有する本体１０と、該本体１０の中央部の左右両側縁部から幅方向に連設された一対のウイング１１，１１とを有している。これらの各構成については従来の公知技術と同じである。
【００１０】
而して、本実施形態の生理用ナプキン１においては、図１に示す様に、一対の上記ウイング１１，１１と上記本体１０との連接部に復元部材１２，１２を備えており、上記一対のウイング１１，１１は、上記復元部材１２，１２を介して上記本体１０に連接されており、上記復元部材１２，１２は、一対の上記ウイング１１，１１を非応力下において略同一平面上に展開させる機能を有している。
【００１１】
本実施形態について詳述すると、上記本体１０は、肌当接面１０ａが液透過性のトップシートにより形成されており、非肌当接面１０ｂが液不透過性のバックシートにより形成されている。そして上記トップシートと上記バックシートとは端縁部及び周縁部で接着されており、該トップシートと該バックシートとによって液保持性の吸収体が挟持されて吸収部が形成されている。上記トップシート、上記バックシート及び上記吸収体としては、通常吸収性物品に用いられるものを特に制限なく用いることができる。
上記復元部材１２，１２は、天然ゴム、スチレン−ブタジエンゴム、イソプレンゴム、イソブチレンゴム、ブチルゴム、スチレン−イソプレンブロック共重合体、スチレン−ブタジエンブロック共重合体、スチレン−エチレン−ブチレンブロック共重合体、エチレン−酢酸ビニル共重合体等に代表されるエラストマーを主成分とするシート状の弾性部材であって、好ましくはヒステリシス比が０．５以上１．０以下、更に好ましくは０．７以上１．０以下であり、また好ましくは永久歪みが５０％以下、更に好ましくは３０％以下である。
【００１２】
上記ヒステリシス比は、上記復元部材１２により幅２５ｍｍの試料を作成し、該試料を積算装置付伸長試験機にチャック間距離が１００ｍｍとなるように固定し、次いで、上記試料を３００ｍｍ／ｍｉｎの速度で１００％延伸して作成した延伸曲線の延伸曲線下面積Ｓ1 と、この後引き続き同じ速度で緩めてチャック間が始めの長さの１００ｍｍになった所で緩めるのを止めて作成した弛緩曲線の弛緩曲線下面積Ｓ2 の比Ｓ1 ／Ｓ2 である。
上記永久歪みは、上記ヒステリシス比の測定法と同様にして、試料を１００％延伸した後初期のチャック間距離とした際の試料の長さＬ1 を測定し、初期の長さ（初期のチャック間距離）Ｌ0 に対する弛緩できない長さ（初期長さよりも延びて長くなった部分の長さ）の割合（Ｌ1 −Ｌ0 ）／Ｌ0 ×１００（％）である。
上記復元部材１２，１２は本体固着部材１４，１４を介して本体１０に連設されており、本体１０中央部の左右両側縁部のほぼ略幅方向外方に近接配置されている。
【００１３】
上記ウイング１１，１１は、ポリエチレン製、ポリエステル製、又はポリプロピレン製等のシートであって、復元部材１２，１２から、本体１０の幅方向外方に向けて連設されており、生理用ナプキン１が包装から取り出されて外力が加えられていない状態である非応力下におかれると、復元部材１２，１２の復元力によって、一対が略同一平面上に展開配置されそのまま支持されるようになっている。またこのウイング１１，１１は、展開状態において本体１０の非肌当接面１０ｂと同じ側に配置される面が、粘着剤の塗布されたウイング粘着面となっている。
上記本体固着部材１４，１４は、ポリエチレン製、ポリエステル製、又はポリプロピレン製等のシートであって、一方の面が本体１０の非肌当接面１０ｂに固着されており、他方の面は、粘着剤の塗布された本体粘着面となっている。
上記ウイング粘着面及び本体粘着面には、それぞれ剥離紙１５，１５又は剥離紙１６，１６が貼付されている。
【００１４】
そして個別包装時には、生理用ナプキン１は、図２に示す様に復元部材１２，１２において折曲されて、ウイング１１，１１が本体１０の肌当接面１０ａに重ねられている。そしてこの状態のまま長手方向に三つ折りにされて袋状の包装材（図示せず）に収納されている。
【００１５】
上述の様な構成を有する本実施形態の生理用ナプキン１は、包装材（図示せず）から生理用ナプキン１を取り出すと、直ちに復元部材１２，１２の復元力によってウイング１１，１１が展開され、一対のウイング１１，１１は略同一平面上に支持される。また同時に、広がるウイング１１，１１によって、三つ折りされた本体１０が押し広げられて長手方向に展開される。
続いて、ウイング１１，１１及び本体固着部材１４，１４から剥離紙１５，１５，１６，１６を剥離してウイング粘着面及び本体粘着面を露出させ、ウイング１１，１１を折曲して本体１０とウイング１１との間に下着を挟み、本体１０及びウイング１１，１１をそれぞれの粘着部を介して下着に粘着させれば装着が終了する。この時、復元部材１２，１２によって一対のウイング１１，１１が略同一平面上に支持されており、ウイング１１，１１が本体１０に粘着することが回避される。
【００１６】
この様に、本実施形態の生理用ナプキン１によれば、復元部材１２，１２によって本体１０及びウイング１１，１１が展開され、一対のウイング１１，１１が略同一平面上に支持されて本体１０に粘着することが回避され、良好な装着性を得ることができる。
【００１７】
本発明は上述した実施形態に限定されるものではなく、本発明の趣旨を逸脱しない限り適宜変更可能である。
【００１８】
ウイング１１，１１は、個別包装時に非肌当接面１０ｂ側に折り込んで包装してもよい。また上述の実施形態同様に肌当接面１０ａ側に折り込んだ場合に、ウイング１１，１１の粘着面を一枚の剥離紙に粘着させ、折り込んだ状態を固定しておいてもよい。
更に、吸収性物品は失禁パッド等の生理用ナプキン以外のものでもよく、その形状も上述した実施形態のものに限定されず適宜変更可能であり、例えば、本体の肌当接面、非肌当接面及び吸収部が実質上一体に形成されていてもよい。
【００１９】
【発明の効果】
以上説明した様に、本発明の吸収性物品によれば、良好な装着性を得ることができる。
【図面の簡単な説明】
【図１】  本発明の吸収性物品の一実施形態の展開した状態を本体の非肌当接面から見た斜視図である。
【図２】  図１の吸収性物品のウイングを折り畳んだ状態を本体の肌当接面側から見た斜視図である。
【図３】  従来技術の吸収性物品を示す斜視図である。
【図４】  従来技術の吸収性物品を示す斜視図である。
【符号の説明】
１    生理用ナプキン
３    吸収性物品
４    吸収性物品
１０    本体
１０ａ  肌当接面
１０ｂ  非肌当接面
１１    ウイング
１２    復元部材
１４    本体固着部材
１５    剥離紙
１６    剥離紙
【図１】
0003722541.tif 000002
【図２】
0003722541.tif 000003
【図３】
0003722541.tif 000004
【図４】
0003722541.tif 000005